(57)【特許請求の範囲】
【請求項１】
ジョブの処理条件を設定するための画面を表示し操作を受け付ける操作表示手段と、
前記操作表示手段に対する操作で設定された処理条件のジョブを生成する生成手段と、
前記生成手段により生成されたジョブの処理条件を含むジョブ情報を記憶する記憶手段と、
前記生成手段により生成されたジョブの生成時点からの経過時間を計測する計測手段と、
前記ジョブ情報を用いて前記操作表示手段に過去に生成された複数のジョブを所定の順位で表示させると共に、その表示においては、各ジョブに与えた優先度に基づいて前記複数のジョブの順位を入れ替える制御手段と、
を備え、
前記制御手段は、
各ジョブに対し、前記処理条件が設定されたときの前記操作表示手段に対する操作内容に基づく重要度を決定し、
各ジョブに与える前記優先度を、ジョブの前記重要度とそのジョブに対する前記経過時間とに基づいて、時間の経過に伴い低下しかつ前記重要度の低いジョブの方が前記重要度の高いジョブよりも優先度の低下度合いが大きくなるように、決定する
ことを特徴とする情報処理装置。
【請求項２】
前記操作表示手段に前記表示されたジョブが選択操作された場合は、その選択操作されたジョブの処理条件の設定を新規ジョブの処理条件の設定に反映する
ことを特徴とする請求項１に記載の情報処理装置。
【請求項３】
前記操作表示手段を操作してジョブの処理条件を設定するユーザを予め登録された認証情報に基づいて認証する認証手段を更に備え、
前記制御手段は、前記認証手段により認証されたユーザによるジョブの生成では、そのユーザに対応する認証情報を前記ジョブ情報に対応付けて前記記憶手段に記憶し、前記認証手段により認証されたユーザによる前記表示では、そのユーザに対応する認証情報に基づいて前記ジョブ情報を選び出し、そのユーザが過去に生成したジョブを表示する
ことを特徴とする請求項１または２に記載の情報処理装置。
【請求項４】
前記操作内容は、操作階層数と、前記処理条件に関する各項目の設定数と、前記処理条件を設定する操作の開始から完了までの画面遷移数と、のうちの少なくとも１つを含む
ことを特徴とする請求項１乃至３のいずれか１つに記載の情報処理装置。
【請求項５】
前記順位の入れ替えの判断に用いる判断条件が変更可能である
ことを特徴とする請求項１乃至４のいずれか１つに記載の情報処理装置。
【請求項６】
操作表示手段と、記憶手段とを備えた情報処理装置に、
前記操作表示手段にジョブの処理条件を設定するための画面を表示し操作を受け付ける機能と、
前記操作表示手段に対する操作で設定された処理条件のジョブを生成する機能と、
前記生成されたジョブの処理条件を含むジョブ情報を記憶する機能と、
前記生成されたジョブの生成時点からの経過時間を計測する機能と、
前記生成されたジョブに関するジョブ情報と、前記計測された経過時間の時間情報とを関連付けて記憶する機能と、
前記ジョブ情報を用いて前記操作表示手段に過去に生成された複数のジョブを所定の順位で表示させると共に、その表示においては、各ジョブに与えた優先度に基づいて前記複数のジョブの順位を入れ替える機能と、
を実現させるためのプログラムであって、
各ジョブに対し、前記処理条件が設定されたときの前記操作表示手段に対する操作内容に基づく重要度を決定し、
各ジョブに与える前記優先度を、ジョブの前記重要度とそのジョブに対する前記経過時間とに基づいて、時間の経過に伴い低下しかつ前記重要度の低いジョブの方が前記重要度の高いジョブよりも優先度の低下度合いが大きくなるように、決定する
ことを特徴とするプログラム。
【発明の詳細な説明】
【技術分野】
【０００１】
本発明は、情報処理装置およびプログラムに係り、詳細には、過去に実行されたジョブの設定の履歴を表示する機能を備えた情報処理装置、およびその情報処理装置を動作させるためのプログラムに関する。
【背景技術】
【０００２】
コピーやスキャン、ファクシミリなどの複数種類のモードを備えた複合機の使用においては、ユーザ毎に各モードで使用パターンの傾向が現れることが多い。たとえば、コピーモードでは特定の濃度（濃く）／片面設定／２ in １などにする、スキャンモードでは特定のファイル形式（ＰＤＦ；Portable Document Format（登録商標））／特定の解像度（２００ｄｐｉ）／特定の読み込みモード（片面）などにする、ファクシミリモードでは特定の送信先（Ａさん）／ＩＰ（Internet Protocol）−ＦＡＸ／リダイレクト送信などにするといったように、ユーザは自分の好みや用途などに応じて決まったパターンで各モードを使用することが多い。
【０００３】
このような使用状況において、複合機がユーザに対して各モードを使用するたびに個々の設定を要求すると、モード毎に毎回同様の操作を繰り返さなければならなくなるため、ユーザに手間や煩わしさを与えてしまうことになる。特に、各モードに多数の機能や選択肢が設けられていてそれらを多用する場合には、設定する項目数（設定数）が多くなったり、設定における操作階層が深くなったり、操作画面の遷移数が多くなったりするため、操作が煩雑になり設定に時間が掛かる。そのため、複合機の機能を多用するたびに同じような煩雑な操作を繰り返すことになると、ユーザが受けるストレスは大きくなる。また、ジョブの設定後または実行後に設定の間違いに気付いてジョブを作成し直す場合などにも、最初から同様の操作を繰り返さなければならないのは不便である。
【０００４】
そこで、過去に実行されたジョブの設定（処理条件）を不揮発メモリなどに記憶しておいて時系列で履歴表示するようにし、その中からユーザが所望のジョブを選択するとそのジョブの設定が新たなジョブの設定に反映されて過去の設定が利用可能となるような機能を複合機に設けている場合もある。またこの機能では、過去の設定をそのまま流用する他に、一部変更して利用することも可能であり、設定を間違えてジョブを実行した場合などには、そのジョブの設定を利用し誤りを訂正して正しい設定の新たなジョブを簡単に作成できるようになっている。
【０００５】
このような過去の設定を利用する技術としては、たとえば、入力されたデータを記憶すると共に入力履歴をメニュー形式に表示し、その中から選択された入力履歴に対応するデータを次回の入力に利用できるようにした技術がある（特許文献１参照）。また、ユーザが過去に行った操作に関する履歴情報をメモリに記憶しておき、次回のアクセス時は履歴情報に基づいて、最後に操作を行ったメニュー画面を表示する（深い階層画面まで一気に遷移する）ことにより、最後に操作を行ったメニュー画面から操作を開始できるようにした技術などもある（特許文献２参照）。
【０００６】
【特許文献１】特開平５−２９８３７７号公報
【特許文献２】特開２００５−２５６５６号公報
【発明の開示】
【発明が解決しようとする課題】
【０００７】
複合機の各種モードを使用するときの設定には、単純な操作で完了できるものもあれば、設定数が多い、あるいは、操作階層数や画面遷移数が多いなどにより面倒な操作を強いられるものもある。そしてこのような操作の複雑度合いが高い設定ほど、過去の設定を利用することで操作が大幅に簡略され効率的に設定できるようになるため、過去の設定を利用するメリットが高い。
【０００８】
一方、設定を間違えて実行したジョブの再設定などは、ジョブを実行してから比較的短時間、たとえばジョブの実行後３０分〜１時間以内に行われることが多い。設定の簡単なジョブであっても、実行後さほど時間が経過していなければ、履歴表示機能を利用して一部の設定だけをやり直すような場合が多い。しかし、設定の簡単なジョブは時間が経過するにつれて必要性が低下する。たとえば、実行後３〜４時間経過してしまうと利用される可能性がかなり低くなる。むしろ、数日前などに実行した設定の複雑なジョブの方が利用される可能性は高くなる。このように、過去のジョブの設定の中からユーザが必要とする設定は、ジョブを設定したときの操作内容と経過時間の２つの要素で変化している。
【０００９】
これに対し、ジョブの設定の履歴を単純に時系列に表示する、あるいは、特許文献１の技術のように、入力履歴を単純にメニュー形式に表示するだけでは、上記のようなジョブ設定時の操作内容と時間の経過に伴い変化するユーザニーズに十分に応えられていない問題がある。たとえば、最近実行したジョブが簡単な設定のジョブに偏っていたような場合には、履歴の中ではそれらのジョブが優先的（上位）に表示される。このような状況で一定時間が経過し、複雑な設定の古いジョブを利用する場合には、その所望するジョブは履歴の中で優先度が低く（下位に）表示されるため、見つけ出すことが困難になる。さらには、メモリ容量の制限などで消去されてしまい利用できなくなる可能性もある。
【００１０】
また特許文献２の技術では、ユーザによる新規のアクセスで前回の最後に操作を行ったメニュー画面を表示するようにしているが、このメニュー画面が今回の設定に対して必ずしも最適な画面になるとは限らない。また、過去の設定を利用できる構成ではないため、新規アクセス時に何れのメニュー画面が表示されても設定の操作自体は行う必要がある。
【００１１】
本発明は、上記の問題を解決しようとするものであり、過去の設定を利用してジョブの処理条件を再設定する場合などに操作内容と経過時間を考慮してユーザニーズに適した表示を行うことができる情報処理装置およびプログラムを提供することを目的としている。
【課題を解決するための手段】
【００１２】
かかる目的を達成するための本発明の要旨とするところは、次の各項の発明に存する。
【００１３】
［１］ジョブの処理条件を設定するための画面を表示し操作を受け付ける操作表示手段と、
前記操作表示手段に対する操作で設定された処理条件のジョブを生成する生成手段と、
前記生成手段により生成されたジョブの処理条件を含むジョブ情報を記憶する記憶手段と、
前記生成手段により生成されたジョブの生成時点からの経過時間を計測する計測手段と、
前記ジョブ情報を用いて前記操作表示手段に過去に生成された複数のジョブを所定の順位で表示させると共に、その表示においては、各ジョブに与えた優先度に基づいて前記複数のジョブの順位を入れ替える制御手段と、
を備え、
前記制御手段は、
各ジョブに対し、前記処理条件が設定されたときの前記操作表示手段に対する操作内容に基づく重要度を決定し、
各ジョブに与える前記優先度を、ジョブの前記重要度とそのジョブに対する前記経過時間とに基づいて、時間の経過に伴い低下しかつ前記重要度の低いジョブの方が前記重要度の高いジョブよりも優先度の低下度合いが大きくなるように、決定する
ことを特徴とする情報処理装置。
【００１４】
［６］操作表示手段と、記憶手段とを備えた情報処理装置に、
前記操作表示手段にジョブの処理条件を設定するための画面を表示し操作を受け付ける機能と、
前記操作表示手段に対する操作で設定された処理条件のジョブを生成する機能と、
前記生成されたジョブの処理条件を含むジョブ情報を記憶する機能と、
前記生成されたジョブの生成時点からの経過時間を計測する機能と、
前記生成されたジョブに関するジョブ情報と、前記計測された経過時間の時間情報とを関連付けて記憶する機能と、
前記ジョブ情報を用いて前記操作表示手段に過去に生成された複数のジョブを所定の順位で表示させると共に、その表示においては、各ジョブに与えた優先度に基づいて前記複数のジョブの順位を入れ替える機能と、
を実現させるためのプログラムであって、
各ジョブに対し、前記処理条件が設定されたときの前記操作表示手段に対する操作内容に基づく重要度を決定し、
各ジョブに与える前記優先度を、ジョブの前記重要度とそのジョブに対する前記経過時間とに基づいて、時間の経過に伴い低下しかつ前記重要度の低いジョブの方が前記重要度の高いジョブよりも優先度の低下度合いが大きくなるように、決定する
ことを特徴とするプログラム。
【００１５】
上記発明では、操作表示手段に対する操作で設定された処理条件のジョブが生成されると、そのジョブの処理条件を含むジョブ情報が記憶される。このジョブ情報を用いて、操作表示手段には過去に生成された複数のジョブが所定の順位で表示される。そしてこの表示では、処理条件を設定したときの操作表示手段に対する操作内容と、ジョブの生成時点からの経過時間とに基づいて、複数のジョブの順位を入れ替えるようにする。
【００１６】
たとえば、処理条件を設定するときの操作の複雑度合いなどに応じてジョブの重要度を決め、ジョブの生成時点から時間が経過するにつれ、重要度の低いジョブは重要度の高いジョブより表示の優先度が大きく低下するようにし、重要度の低いジョブよりも重要度の高いジョブが相対的に上位に表示されるようにする。これにより、重要度の高いジョブは時間が経過しても上位に表示されるようになってユーザが容易に見つけ出せるようになる。
【００１７】
［２］前記操作表示手段に前記表示されたジョブが選択操作された場合は、その選択操作されたジョブの処理条件の設定を新規ジョブの処理条件の設定に反映する
ことを特徴とする［１］に記載の情報処理装置。
【００１８】
上記発明では、表示された中から選択操作されたジョブの処理条件の設定が新規ジョブの処理条件の設定に反映され、新規ジョブの処理条件の設定は選択操作されたジョブと同じ処理条件に設定される。この反映された過去の設定をそのまま流用する、あるいは一部変更するなどにより、過去の設定を利用して新たなジョブを効率よく作成できるようになる。
【００１９】
［３］前記操作表示手段を操作してジョブの処理条件を設定するユーザを予め登録された認証情報に基づいて認証する認証手段を更に備え、
前記制御手段は、前記認証手段により認証されたユーザによるジョブの生成では、そのユーザに対応する認証情報を前記ジョブ情報に対応付けて前記記憶手段に記憶し、前記認証手段により認証されたユーザによる前記表示では、そのユーザに対応する認証情報に基づいて前記ジョブ情報を選び出し、そのユーザが過去に生成したジョブを表示する
ことを特徴とする［１］または［２］に記載の情報処理装置。
【００２０】
上記発明では、ユーザ認証を行ってユーザを特定し、そのユーザが過去に生成したジョブを選び出して表示する。ジョブの処理条件の設定ではユーザ毎に傾向が現れることが多いため、個々のユーザに対応する過去のジョブを選び出して表示することにより、ユーザにとって利用価値の高い過去のジョブの設定を優先的に提供できるようになる。
【００２１】
［４］前記操作内容は、操作階層数と、前記処理条件に関する各項目の設定数と、前記処理条件を設定する操作の開始から完了までの画面遷移数と、のうちの少なくとも１つを含む
ことを特徴とする［１］乃至［３］のいずれか１つに記載の情報処理装置。
【００２２】
上記発明では、操作階層数、設定数、画面遷移数などに基づいて、表示される複数のジョブの順位が入れ替わるようになる。たとえば、ジョブの生成時点からの時間の経過に伴い、操作階層数、設定数、画面遷移数などの大きいジョブは小さいジョブよりも上位に表示されるようになる。
【００２３】
［５］前記順位の入れ替えの判断に用いる判断条件が変更可能である
ことを特徴とする［１］乃至［４］のいずれか１つに記載の情報処理装置。
【００２４】
上記発明では、表示される複数のジョブの順位の入れ替えの判断に用いる判断条件、たとえば、上記の経過時間や操作階層数、設定数、画面遷移数などの閾値の条件が任意に変更できるため、ユーザ毎の仕様で順位の入れ替えが行えるようになる。
【発明の効果】
【００２５】
本発明によれば、過去の設定を利用してジョブの処理条件を再設定する場合などに操作内容と経過時間を考慮してユーザニーズに適した表示が行えるようになる。
【発明を実施するための最良の形態】
【００２６】
以下、図面に基づき本発明の実施の形態を説明する。
【００２７】
図１は、本発明の実施の形態に係る画像形成システム（情報処理システム）５のシステム構成例を示している。画像形成システム５は、任意台数の端末１０と、各端末１０からアクセスされる画像形成装置（情報処理装置）としての複合機（ＭＦＰ；Multi Function Peripheral/Multi Function Printer）２０とをＬＡＮ（Local Area Network）などのネットワーク２に接続して構成される。複合機２０は、原稿のコピー機能、プリンタ機能、スキャナ機能、ファクシミリ機能、ボックス機能、ファイル転送機能（ＳＭＢ（Server Message Block）転送機能）などを備えた装置である。端末１０は、複合機２０に対してネットワーク２を通じてアクセスし、プリントジョブなど各種作業の依頼や操作の依頼などを行う装置であり、たとえば、パーソナルコンピュータに複合機２０のドライバプログラムなどを組み込んで構成される。
【００２８】
図２は、複合機２０の概略構成を示している。複合機２０は、制御部としてのＣＰＵ（Central Processing Unit）２１に、バス２２を介してＲＯＭ（Read Only Memory）２３と、ＲＡＭ（Random Access Memory）２４と、不揮発メモリ２５と、操作表示部２６と、通信部２７と、画像変換部２８と、読み取り部２９と、プリンタ部３０と、時計部３１と、認証部３２とを接続して構成される。
【００２９】
ＣＰＵ２１は、ＲＯＭ２３に格納されているプログラムに基づいて複合機２０の動作を制御する。ＲＡＭ２４はＣＰＵ２１がプログラムを実行する際に各種データを一時的に格納するワークメモリとして使用されるほか、画像データを保存するための画像メモリなどにも使用される。不揮発メモリ２５は、電源がオフされても記憶が保持されるメモリであり、後述するジョブ履歴テーブル４０（図１５参照）や相関数の算出に使用する設定情報（係数）、操作表示部２６に表示する画面のデータや遷移表、ユーザの認証情報などが記憶される。
【００３０】
操作表示部２６は、ユーザに各種の操作画面や案内画面を表示する機能およびユーザから各種の操作を受け付ける機能を果たす。ここでは、操作表示部２６は液晶ディスプレイとその画面上に設けられたタッチパネルとスタートキー（実行キー）、履歴確認キー、キャンセルキー、終了キーなどの各種スイッチ類とで構成される。通信部２７は、ネットワーク２を通じて端末１０などの外部装置と通信する機能を果たす。
【００３１】
読み取り部２９は、原稿を光学的に読み取って画像データを取得する機能を果たす。読み取り部２９は、たとえば、原稿に光を照射する光源と、原稿からの反射光を受光して原稿を幅方向に１ライン分読み取るイメージセンサと、イメージセンサによるライン単位の読み取り位置を原稿の長さ方向に移動させるスキャン機構と、原稿からの反射光をイメージセンサに導いて結像させるレンズやミラーからなる光学経路などで構成される。画像変換部２８は画像データに対して、画像補正、回転、拡大／縮小、圧縮／伸張など各種の画像処理を施す機能を果たす。
【００３２】
プリンタ部３０は、入力された画像データに対応する画像を記録紙に印刷して出力する機能を果たす。たとえば、記録紙の搬送装置と、感光体ドラムと、帯電装置と、レーザーユニットと、現像装置と、転写分離装置と、クリーニング装置と、定着装置などを備え、電子写真プロセスによって記録紙上に画像を形成するレーザープリンタなどとして構成される。
【００３３】
時計部３１は、時刻を刻む。認証部３２は、認証用のデータを取得し予め登録された認証情報に基づいてユーザを認証する機能を果たす。このユーザ認証には、たとえば、ＩＣ（Integrated Circuit）カードやＩＤ（Identification）カードなどに記憶されている認証用のデータを読み取って予め登録されている認証情報と照合し本人認証を行うカード認証技術、あるいは、指紋や指静脈などの生体情報を認証用のデータとして読み取って予め登録されている認証情報と照合し本人認証を行う生体認証技術などの汎用の各種の認証技術が単独もしくは組み合わせて用いられる。
【００３４】
ＣＰＵ２１はプログラムを実行することで、操作表示部２６に対する操作で設定された処理条件のジョブを生成する生成手段、時計部３１から時間情報を取得し、生成されたジョブの生成時点からの経過時間を計測する計測手段、ジョブの処理条件を設定するための操作画面や過去に実行されたジョブの履歴などを操作表示部２６に表示させる制御手段としての機能を果たす。さらに、履歴表示する複数のジョブの順位を入れ替えるための後述する相関数を算出する機能を備えている。
【００３５】
次に、複合機２０におけるジョブの設定操作と過去に設定・実行されたジョブの履歴表示について説明する。
【００３６】
複合機２０は、コピー、スキャン、ファイル転送などの複数種類のモードを備えており、更に各モードには複数の機能（選択肢）が設けられている。この複数種類のモードや複数の機能による多数のバリエーションのジョブを設定可能とするために、複合機２０には操作表示部２６に切り替え表示される複数の操作画面が設けられている。
【００３７】
操作表示部２６に表示される操作画面には、画面を遷移したり、各種のモードや機能などジョブの処理条件を選択・設定したりするためのボタンやアイコンなどが表示される。複合機２０は、操作画面上のボタンやアイコンなどの押下操作を受けて画面の遷移やジョブの設定などを行うようになっている。
【００３８】
さらに、多数のバリエーションが存在するジョブの設定の操作性をよくするために、すなわち、機能を多用するような場合などでもユーザがジョブの設定操作を分かりやすくかつ効率よく行えるようにするために、複合機２０には複数の操作階層が設けられている。たとえば、同じモードや同じ機能などの関連する設定もしくはより詳細な処理条件の設定などを行う場合は、画面が遷移しつつ操作が階層方向に進行して、所望の設定を行うための操作の進行方向や操作の前後関係などが把握しやすいようになっている。
【００３９】
このような画面の遷移は、不揮発メモリ２５に記憶された画面データと画面の遷移表（木構造）を参照して行われる。
【００４０】
また複合機２０は、図示しない履歴確認キーの押下操作を受けると、過去に設定・実行されたジョブの履歴を操作表示部２６に所定の順位で表示するようになっている。
【００４１】
ジョブを設定する操作の過程では、操作画面が遷移し、場合によっては操作画面の遷移に伴い操作階層も移動して設定箇所に到達する。このジョブを設定する操作の過程での操作内容、具体的には操作階層数、設定数、画面遷移数は、設定するジョブの処理条件によって異なる。複合機２０は、この操作内容における複雑度合いが高いもの、すなわち、操作階層数、設定数、画面遷移数が大きいものに対しては重要度が高くされ、操作内容における複雑度合いが低いもの、すなわち、操作階層数、設定数、画面遷移数が小さいものに対しては重要度が低くされている。また複合機２０は、ジョブの履歴表示ではジョブの生成時点からの時間の経過に伴い、重要度（操作の複雑度合い）の低いジョブは重要度の高いジョブよりも表示の優先度を大きく低下させ、重要度の低いジョブよりも重要度の高いジョブを相対的に上位（優先的）に表示する機能を備えている。この操作内容と操作性の関係、および重要度は以下のようになる。
【００４２】
１．操作階層数と操作性の関係
操作階層が深い程、操作が大変になる。・・・重要度「高」⇒優先的に表示する、または、表示の優先順位を高める。
操作階層が浅い程、操作は容易になる。・・・重要度「低」
２．設定数と操作性の関係
設定数が多い程、操作が大変になる。・・・重要度「高」⇒優先的に表示する、または、表示の優先順位を高める。
設定数が少ない程、操作が容易になる。・・・重要度「低」
３．画面遷移数と操作性の関係
画面遷移数が多い程、操作が大変になる。・・・重要度「高」⇒優先的に表示する、または、表示の優先順位を高める。
画面遷移数が少ない程、操作が容易になる。・・・重要度「低」
【００４３】
ここで、操作表示部２６によりジョブを設定する際の操作内容、すなわち、操作階層（layer）、設定（setup）、画面遷移(operation panel transition)について具体例を挙げて詳細に説明する。
【００４４】
図３〜図７は、コピージョブやファイル転送（ＳＭＢ転送）ジョブを設定する過程で操作表示部２６に表示される操作画面の遷移を模式的に木構造で示している。
【００４５】
本例では、操作階層として最上階層である第１階層から最下階層である第４階層まで４つの階層（Ｌ１〜Ｌ４）が設けられており、複合機２０の起動後などにおける通常状態には第１階層Ｌ１に設けられたトップ画面（初期画面）が操作表示部２６に表示されるようになっている。また、操作表示部２６に表示された操作画面に対する操作（ボタン押下）には、（１）画面の切り替えに関わる操作と、（２）ジョブの設定（ジョブの生成自体）に関わる操作と、（３）それらの両方に関わる（ジョブの設定と同時に画面が切り替わる）操作とがある。本例では、（２）と（３）の操作のみを設定数にカウントしている。
【００４６】
本例は、複合機２０のユーザであるＸ氏が適宜時刻に毎回ユーザ認証を行って５種類のジョブを設定した場合である。
【００４７】
図３は１ジョブ目を設定する過程での操作画面、操作階層および設定箇所を示している。１ジョブ目の設定内容は［２ in １］印刷である。
【００４８】
ＣＰＵ２１は、第１階層Ｌ１のコピートップ画面５１に表示されている集約／原稿ボタン６１が押下されると、操作表示部２６の表示を第２階層Ｌ２に設けられた集約／原稿画面５２に切り替える（画面遷移：矢印Ｔ１）。集約／原稿画面５２に表示された２ in １ボタン６２が押下されると、ＣＰＵ２１は［２ in １］を設定する（設定箇所：Ｓ１）。
【００４９】
集約／原稿画面５２には「コピーできます」が表示されていて複合機２０はコピー可能な状態となっており、ここでスタートキー（図示省略）が押下されると、ＣＰＵ２１は設定した内容を確定して［２ in １］印刷のジョブを生成し実行する。この場合の操作内容は、階層数が２、設定数が１、画面遷移数が１となる。
【００５０】
図４は２ジョブ目を設定する過程での操作画面、操作階層および設定箇所を示している。２ジョブ目の設定内容は［原稿外消去］印刷である。
【００５１】
ＣＰＵ２１は、第１階層Ｌ１のコピートップ画面５１に表示されている応用設定ボタン６３が押下されると、操作表示部２６の表示を第２階層Ｌ２に設けられた応用設定画面５３に切り替える（画面遷移：矢印Ｔ１）。応用設定画面５３に表示された消去ボタン６４が押下されると、ＣＰＵ２１は操作表示部２６の表示を第３階層Ｌ３に設けられた消去画面５４に切り替える（画面遷移：矢印Ｔ２）。
【００５２】
続いて消去画面５４に表示された原稿外消去ボタン６５が押下されると、ＣＰＵ２１は［原稿外消去］を設定し（設定箇所：Ｓ１）、ＯＫボタン６６が押下されると、操作表示部２６の表示を第２階層Ｌ２の応用設定画面５３に切り替える（画面遷移：矢印Ｔ３）。
【００５３】
応用設定画面５３には「コピーできます」が表示されていて複合機２０はコピー可能な状態となっており、ここでスタートキーが押下されると、ＣＰＵ２１は設定した内容を確定して［原稿外消去］印刷のジョブを生成し実行する。この場合の操作内容は、階層数が３、設定数が１、画面遷移数が３となる。
【００５４】
図５は３ジョブ目を設定する過程での操作画面、操作階層および設定箇所を示している。３ジョブ目の設定内容は［２ in １］［文字/写真］［綴じ代］印刷である。
【００５５】
ＣＰＵ２１は、１ジョブ目と同様の操作を受けて［２ in １］を設定した後（画面遷移：矢印Ｔ１／設定箇所：Ｓ１）、原稿画質ボタン６７が押下されると、操作表示部２６の表示を集約／原稿画面５２と同じ第２階層Ｌ２に設けられた原稿画質画面５５に切り替える（画面遷移：矢印Ｔ２）。原稿画質画面５５に表示された文字/写真ボタン６８が押下されると、ＣＰＵ２１は［文字/写真］を設定する（設定箇所：Ｓ２）。
【００５６】
続いて応用設定ボタン６３が押下されると、ＣＰＵ２１は操作表示部２６の表示を同じ第２階層Ｌ２に設けられた応用設定画面５３に切り替える（画面遷移：矢印Ｔ３）。ここで応用設定画面５３に表示された綴じ代ボタン６９（図中では「とじ代」と表示）が押下されると（設定箇所：Ｓ３）、ＣＰＵ２１は操作表示部２６の表示を第３階層Ｌ３に設けられた綴じ代作成画面５６（図中では「とじ代作成」と表示）に切り替える（画面遷移：矢印Ｔ４）。
【００５７】
綴じ代作成画面５６で綴じ代の位置や量の設定を受け、ＯＫボタン６６が押下されると、ＣＰＵ２１は［綴じ代］を設定し（設定箇所：Ｓ４）、操作表示部２６の表示を第２階層Ｌ２の応用設定画面５３に切り替える（画面遷移：矢印Ｔ５）。
【００５８】
応用設定画面５３には「コピーできます」が表示されていて複合機２０はコピー可能な状態となっており、ここでスタートキーが押下されると、ＣＰＵ２１は設定した内容を確定して［２ in １］［文字/写真］［綴じ代］印刷のジョブを生成し実行する。この場合の操作内容は、階層数が３、設定数が４、画面遷移数が５となる。
【００５９】
図６は４ジョブ目を設定する過程での操作画面、操作階層および設定箇所を示している。４ジョブ目の設定内容は［Scan to SMB］送信である。
【００６０】
ＣＰＵ２１は、第１階層Ｌ１のスキャントップ画面７１に表示されているダイレクト入力ボタン８１が押下されると、操作表示部２６の表示を第２階層Ｌ２に設けられたダイレクト入力画面７２に切り替える（画面遷移：矢印Ｔ１）。ダイレクト入力画面７２に表示されたファイル送信（ＳＭＢ）ボタン８２が押下されると（設定箇所：Ｓ１）、ＣＰＵ２１は操作表示部２６の表示を第３階層Ｌ３に設けられたファイル送信（ＳＭＢ）画面７３に切り替える（画面遷移：矢印Ｔ２）。
【００６１】
続いてファイル送信（ＳＭＢ）画面７３に表示されたホスト名ボタン８３が押下されると、ＣＰＵ２１は操作表示部２６の表示を第４階層Ｌ４に設けられたホスト名画面７４に切り替える（画面遷移：矢印Ｔ３）。ホスト名画面７４で送信先のホスト名（ＩＰアドレス）の入力を受け、ＯＫボタン８７が押下されると、ＣＰＵ２１はホスト名を設定し（設定箇所：Ｓ２）、操作表示部２６の表示を第３階層Ｌ３のファイル送信（ＳＭＢ）画面７３に切り替える（画面遷移：矢印Ｔ４）。
【００６２】
続いてファイル送信（ＳＭＢ）画面７３に表示されたファイルパスボタン８４が押下されると、ＣＰＵ２１は操作表示部２６の表示を第４階層Ｌ４に設けられたファイルパス（グループ名）画面７５に切り替える（画面遷移：矢印Ｔ５）。ファイルパス画面７５で送信先のファイルパス（グループ名）の入力を受け、ＯＫボタン８７が押下されると、ＣＰＵ２１はファイルパス（グループ名）を設定し（設定箇所：Ｓ３）、操作表示部２６の表示を第３階層Ｌ３のファイル送信（ＳＭＢ）画面７３に切り替える（画面遷移：矢印Ｔ６）。
【００６３】
続いてファイル送信（ＳＭＢ）画面７３に表示されたユーザ名ボタン８５が押下されると、ＣＰＵ２１は操作表示部２６の表示を第４階層Ｌ４に設けられたユーザ名画面７６に切り替える（画面遷移：矢印Ｔ７）。ユーザ名画面７６で送信先のユーザ名の入力を受け、ＯＫボタン８７が押下されると、ＣＰＵ２１はユーザ名を設定し（設定箇所：Ｓ４）、操作表示部２６の表示を第３階層Ｌ３のファイル送信（ＳＭＢ）画面７３に切り替える（画面遷移：矢印Ｔ８）。
【００６４】
続いてファイル送信（ＳＭＢ）画面７３に表示されたパスワードボタン８６が押下されると、ＣＰＵ２１は操作表示部２６の表示を第４階層Ｌ４に設けられたパスワード画面７７に切り替える（画面遷移：矢印Ｔ９）。パスワード画面７７で送信先に設定されたパスワードの入力を受け、ＯＫボタン８７が押下されると、ＣＰＵ２１はパスワードを設定し（設定箇所：Ｓ５）、操作表示部２６の表示を第３階層Ｌ３のファイル送信（ＳＭＢ）画面７３に切り替える（画面遷移：矢印Ｔ１０）。
【００６５】
ここでファイル送信（ＳＭＢ）画面７３のＯＫボタン８８が押下されると、ＣＰＵ２１は操作表示部２６の表示を第２階層Ｌ２のダイレクト入力画面７２に切り替える（画面遷移：矢印Ｔ１１）。そしてスタートキーが押下されると、ＣＰＵ２１は設定した内容を確定して［Scan to SMB］送信のジョブを生成し実行する。この場合の操作内容は、階層数が４、設定数が５、画面遷移数が１１となる。
【００６６】
図７は５ジョブ目を設定する過程での操作画面、操作階層および設定箇所を示しており、図８〜図１４は図７の各操作画面を拡大して示している。５ジョブ目の設定内容は［Scan to SMB］同報送信である。
【００６７】
この５ジョブ目の［Scan to SMB］同報送信は、４ジョブ目の［Scan to SMB］送信で説明したファイル送信先情報（ホスト名、ファイルパス（グループ名）、ユーザ名、パスワード）の設定を同報送信する複数のファイル送信先（同報宛先）に対して行う他は、４ジョブ目の［Scan to SMB］送信と同様の操作内容により設定される。ここでは、［Scan to SMB］同報送信を設定する際の操作内容を図８〜図１４に示す各操作画面の流れに沿って説明する。
【００６８】
図７に示す第１階層Ｌ１のスキャントップ画面７１を拡大した図が図８（Ａ）である。ＣＰＵ２１は、スキャントップ画面７１のダイレクト入力ボタン８１が押下されると、操作表示部２６の表示を図８（Ｂ）に示すダイレクト入力画面７２に切り替える（図７の第２階層Ｌ２のダイレクト入力画面７２／画面遷移：矢印Ｔ１）。ダイレクト入力画面７２のファイル送信（ＳＭＢ）ボタン８２が押下されると（図７の設定箇所：Ｓ１）、ＣＰＵ２１は操作表示部２６の表示を図８（Ｃ）に示すファイル送信（ＳＭＢ）画面７３に切り替える（図７の第３階層Ｌ３のファイル送信（ＳＭＢ）画面７３／画面遷移：矢印Ｔ２）。
【００６９】
続いてファイル送信（ＳＭＢ）画面７３のホスト名ボタン８３が押下されると、ＣＰＵ２１は操作表示部２６の表示を図９（Ｄ）に示すホスト名画面７４に切り替える（図７の第４階層Ｌ４のホスト名画面７４／画面遷移：矢印Ｔ３）。ホスト名画面７４で送信先のホスト名（ＩＰアドレス）の入力を受け、ＯＫボタン８７が押下されると、ＣＰＵ２１はホスト名を設定し（図７の設定箇所：Ｓ２）、操作表示部２６の表示を図９（Ｅ）に示すファイル送信（ＳＭＢ）画面７３に切り替える（図７の第３階層Ｌ３のファイル送信（ＳＭＢ）画面７３／画面遷移：矢印Ｔ４）。
【００７０】
続いてファイル送信（ＳＭＢ）画面７３のファイルパスボタン８４が押下されると、ＣＰＵ２１は操作表示部２６の表示を図９（Ｆ）に示すファイルパス画面７５に切り替える（図７の第４階層Ｌ４のファイルパス画面７５／画面遷移：矢印Ｔ５）。ファイルパス画面７５で送信先のファイルパスの入力を受け、ＯＫボタン８７が押下されると、ＣＰＵ２１はファイルパスを設定し（図７の設定箇所：Ｓ３）、操作表示部２６の表示を図１０（Ｇ）に示すファイル送信（ＳＭＢ）画面７３に切り替える（図７の第３階層Ｌ３のファイル送信（ＳＭＢ）画面７３／画面遷移：矢印Ｔ６）。
【００７１】
続いてファイル送信（ＳＭＢ）画面７３のユーザ名ボタン８５が押下されると、ＣＰＵ２１は操作表示部２６の表示を図１０（Ｈ）に示すユーザ名画面７６に切り替える（図７の第４階層Ｌ４のユーザ名画面７６／画面遷移：矢印Ｔ７）。ユーザ名画面７６で送信先のユーザ名の入力を受け、ＯＫボタン８７が押下されると、ＣＰＵ２１はユーザ名を設定し（図７の設定箇所：Ｓ４）、操作表示部２６の表示を図１０（Ｉ）に示すファイル送信（ＳＭＢ）画面７３に切り替える（図７の第３階層Ｌ３のファイル送信（ＳＭＢ）画面７３／画面遷移：矢印Ｔ８）。
【００７２】
続いてファイル送信（ＳＭＢ）画面７３のパスワードボタン８６が押下されると、ＣＰＵ２１は操作表示部２６の表示を図１１（Ｊ）に示すパスワード画面７７に切り替える（図７の第４階層Ｌ４のパスワード画面７７／画面遷移：矢印Ｔ９）。パスワード画面７７で送信先に設定されたパスワードの入力を受け、ＯＫボタン８７が押下されると、ＣＰＵ２１はパスワードを設定し（図７の設定箇所：Ｓ５）、操作表示部２６の表示を図１１（Ｋ）に示すファイル送信（ＳＭＢ）画面７３に切り替える（図７の第３階層Ｌ３のファイル送信（ＳＭＢ）画面７３／画面遷移：矢印Ｔ１０）。
【００７３】
ここでファイル送信（ＳＭＢ）画面７３のＯＫボタン８８が押下されると、ＣＰＵ２１は一人目のファイル送信先に設定された情報の内容を確定し、操作表示部２６の表示を図１１（Ｌ）に示すダイレクト入力画面７２に切り替える（図７の第２階層Ｌ２のダイレクト入力画面７２／画面遷移：矢印Ｔ１１）。このとき、ダイレクト入力画面７２の「同報宛先リスト」には、今回設定された一人目のファイル送信先の情報が表示される。
【００７４】
ダイレクト入力画面７２のファイル送信（ＳＭＢ）ボタン８２が再度押下されると（設定箇所：Ｓ６）、ＣＰＵ２１は操作表示部２６の表示を図１２（Ｍ）に示すファイル送信（ＳＭＢ）画面７３に切り替え（図７の第３階層Ｌ３のファイル送信（ＳＭＢ）画面７３／画面遷移：矢印Ｔ１２）、二人目のファイル送信先の情報の設定を受け付ける状態となる。以降、一人目と同様の操作で二人目のファイル送信先（同報宛先）の情報を設定することができる。
【００７５】
すなわち、ファイル送信（ＳＭＢ）画面７３のホスト名ボタン８３が押下されると、ＣＰＵ２１は操作表示部２６の表示を図１２（Ｎ）に示すホスト名画面７４に切り替える（図７の第４階層Ｌ４のホスト名画面７４／画面遷移：矢印Ｔ１３）。ホスト名画面７４で送信先のホスト名（ＩＰアドレス）の入力を受け、ＯＫボタン８７が押下されると、ＣＰＵ２１はホスト名を設定し（図７の設定箇所：Ｓ７）、操作表示部２６の表示を図１２（Ｏ）に示すファイル送信（ＳＭＢ）画面７３に切り替える（図７の第３階層Ｌ３のファイル送信（ＳＭＢ）画面７３／画面遷移：矢印Ｔ１４）。
【００７６】
続いてファイル送信（ＳＭＢ）画面７３のファイルパスボタン８４が押下されると、ＣＰＵ２１は操作表示部２６の表示を図１３（Ｐ）に示すファイルパス画面７５に切り替える（図７の第４階層Ｌ４のファイルパス画面７５／画面遷移：矢印Ｔ１５）。ファイルパス画面７５で送信先のファイルパスの入力を受け、ＯＫボタン８７が押下されると、ＣＰＵ２１はファイルパスを設定し（図７の設定箇所：Ｓ８）、操作表示部２６の表示を図１３（Ｑ）に示すファイル送信（ＳＭＢ）画面７３に切り替える（図７の第３階層Ｌ３のファイル送信（ＳＭＢ）画面７３／画面遷移：矢印Ｔ１６）。
【００７７】
続いてファイル送信（ＳＭＢ）画面７３のユーザ名ボタン８５が押下されると、ＣＰＵ２１は操作表示部２６の表示を図１３（Ｒ）に示すユーザ名画面７６に切り替える（図７の第４階層Ｌ４のユーザ名画面７６／画面遷移：矢印Ｔ１７）。ユーザ名画面７６で送信先のユーザ名の入力を受け、ＯＫボタン８７が押下されると、ＣＰＵ２１はユーザ名を設定し（図７の設定箇所：Ｓ９）、操作表示部２６の表示をファイル送信（ＳＭＢ）画面７３に切り替える（図７の第３階層Ｌ３のファイル送信（ＳＭＢ）画面７３／画面遷移：矢印Ｔ１８）。
【００７８】
続いてファイル送信（ＳＭＢ）画面７３のパスワードボタン８６が押下されると、ＣＰＵ２１は操作表示部２６の表示を図１４（Ｓ）に示すパスワード画面７７に切り替える（図７の第４階層Ｌ４のパスワード画面７７／画面遷移：矢印Ｔ１９）。パスワード画面７７で送信先に設定されたパスワードの入力を受け、ＯＫボタン８７が押下されると、ＣＰＵ２１はパスワードを設定し（図７の設定箇所：Ｓ１０）、操作表示部２６の表示を図１４（Ｔ）に示すファイル送信（ＳＭＢ）画面７３に切り替える（図７の第３階層Ｌ３のファイル送信（ＳＭＢ）画面７３／画面遷移：矢印Ｔ２０）。
【００７９】
ここでファイル送信（ＳＭＢ）画面７３のＯＫボタン８８が押下されると、ＣＰＵ２１は操作表示部２６の表示を図１４（Ｕ）に示す第２階層Ｌ２のダイレクト入力画面７２に切り替える（画面遷移：矢印Ｔ２１）。さらにファイル送信先（同報宛先）がある場合は、同様の操作で三人目以降のファイル送信先の情報を設定することができる。そしてスタートキーが押下されると、ＣＰＵ２１は設定した内容を確定して［Scan to SMB］同報送信のジョブを生成し実行する。この同報宛先が２つの場合の操作内容は、階層数が４、設定数が１０、画面遷移数が２１となる。
【００８０】
図１５は、上記５つのジョブの設定により不揮発メモリ２５に記憶されたジョブ履歴テーブル４０の構成例を示している。
【００８１】
ジョブ履歴テーブル４０は、ジョブの履歴を表示するための情報を登録するものであり、ジョブ実行順データと、実行時刻（日時）データと、設定内容データと、操作内容データとが対応付けられて登録される。さらに、ユーザ認証によってユーザが特定されている場合は、ユーザ名データも対応付けられて登録される。
【００８２】
実行時刻（日時）データは、ジョブの実行時にＣＰＵ２１が時計部３１から取得した時刻（日時）情報のデータである。ジョブ実行順データは、ＣＰＵ２１が実行時刻の新しいジョブから順番に自動的に割り当てた連番号を示すデータである。連番号は、たとえば１から始まる１〜Ｎの連番号などである。設定内容データは、ユーザにより設定されたジョブの設定内容（処理条件）を示すデータである。操作内容データは、ジョブを設定するためにユーザにより操作された内容を示すデータである。詳細には、ジョブの設定操作における操作階層数を示す階層数データ、ジョブの設定操作における設定数を示す設定数データ、ジョブの設定操作における画面遷移数を示す画面遷移数データである。ユーザ名データは、ジョブを設定したユーザ名を示すデータであり、たとえば認証情報に対応して登録されているユーザ名などである。
【００８３】
なお、上述した５つのジョブの実行時刻（日時）は、たとえば５ジョブ目が２００７年６月２５日の１７時、４ジョブ目が２００７年６月２６日の１４時、３ジョブ目が４ジョブ目と同日の１７時、２ジョブ目が２００７年６月２７日の１１時、１ジョブ目が２ジョブ目と同日の１３時となっている。したがって、ジョブ履歴テーブル４０には、実行時刻（日時）の新しい１ジョブ目から５ジョブ目までが順番に１〜５の実行順が割り振られて登録される。また１ジョブ目の実行時点を基準にすると、１ジョブ目に対して、２ジョブ目は２時間前に実行され、３ジョブ目は２０時間前に実行され、４ジョブ目は２３時間前に実行され、５ジョブ目は４４時間前に実行されていることになる。
【００８４】
操作表示部２６には、このジョブ履歴テーブル４０に登録された情報を用いて、過去に実行（生成）された複数のジョブが所定の順位で履歴表示される。さらに、ジョブを設定したときの操作内容とジョブの実行時点からの経過時間とに基づいて、履歴表示されるジョブの順位が入れ替えられるようになっている。
【００８５】
履歴表示するジョブの順位の入れ替えは、上記の操作内容と経過時間とに基づいてジョブ毎に相関数を算出し、その相関数の大小関係によって行うようにしている。
【００８６】
図１６および図１７は、相関数の算出に関する表示画面を示している。詳細には、図１６は２００７年６月２７日の１３時時点、すなわち、最新のジョブである１ジョブ目の［２  in １］印刷を実行した直後に表示された相関数算出表示画面１００であり、図１７は２００７年６月２７日の１９時時点、すなわち、最新のジョブを実行してから６時間後に表示された相関数算出表示画面１０１である。この相関数算出表示画面１００、１０１は、たとえば操作表示部２６に対する所定の操作で操作表示部２６に表示されるようになっている。
【００８７】
相関数算出表示画面１００、１０１には、ジョブ実行順、ジョブ名（ジョブの設定内容）、相関数の算出に用いるパラメータ、相関数が表示される。相関数の算出に用いるパラメータには、ユーザが任意に選択できるパラメータとして、階層数、設定数、画面遷移数が設けられており、必須のパラメータとして経過時間が設けられている。
【００８８】
選択可能な階層数、設定数、画面遷移数の各パラメータは、たとえば操作表示部２６に対する所定の操作で個別に選択／解除できるようになっている。必須のパラメータとして設けられた経過時間は、ジョブの実行時点から本表示画面が表示された現在までに経過した時間である。たとえば、図１６に示す相関数算出表示画面１００の場合は、１ジョブ目の［２ in １］印刷を実行した直後に表示されているため、１ジョブ目は経過時間が「０」と表示される。また１ジョブ目に対して、２時間前に実行された２ジョブ目は「２」、２０時間前に実行された３ジョブ目は「２０」、２３時間前に実行された４ジョブ目は「２３」、４４時間前に実行された５ジョブ目は「４４」がそれぞれ経過時間として表示される。図１７に示す相関数算出表示画面１０１の場合は、１ジョブ目の［２ in １］印刷を実行してから６時間後に表示されているため、１ジョブ目は経過時間が「６」と表示される。また、２〜５ジョブ目には、図１６の画面１００に表示された数値に「６」を加算した数値がそれぞれ経過時間として表示される。また本表示画面では、相関数は便宜的に、１ジョブ目は「Ａ」、２ジョブ目は「Ｂ」、３ジョブ目は「Ｃ」、４ジョブ目は「Ｄ」、５ジョブ目は「Ｅ」としている。
【００８９】
ここで、相関数の算出方法について説明する。相関数は、操作内容と経過時間に基づいて算出するが、本実施の形態では、経過時間を時間軸に対する重み付け係数で除算して対数を取り、更に操作内容の複雑度合いを示す設定関係数（階層数、設定数、画面遷移数）で除算することにより算出するようにしている。具体的には、相関数をｚ、時間軸に対する重み付け係数をｙ、設定関係数をｘとした場合に、ｚを下記の（１）式を用いて算出する。
【００９０】
ｚ＝ｌｏｇ（（経過時間＋１）／ｙ）／ｘ  ・・・（１）式
【００９１】
（１）式の経過時間に対する「＋１」は、ｌｏｇ０を回避するために設けた係数である。時間軸に対する重み付け係数「ｙ」は、ユーザによる設定が可能であり、不揮発メモリ２５に記憶される。また設定関係数「ｘ」は、下記の（２）式を用いて算出するようにしてもよい。
【００９２】
ｘ＝（階層数＊α）＋（設定数＊β）＋（画面遷移数＊γ）  ・・・（２）式
【００９３】
（２）式の「α」、「β」、「γ」は重み付け係数である。この重み付け係数はユーザによる設定が可能であり、不揮発メモリ２５に記憶される。
【００９４】
図１８は、上述した５種類のジョブの相関数を上記の（１）式を用いて計算した結果の一例を示している。本計算例は、設定関係数は画面遷移数のみとした場合である。また、時間軸に対する重み付け係数は５とし（ｙ＝５）、経過時間は３時間、６時間、１０時間、２４時間、４８時間、１００時間としている。図１９は、図１８の計算結果を用いて５種類のジョブの経過時間と相関数（履歴計算値）の関係をグラフ化した図である。本グラフ例では、１ジョブ目はグラフ線Ａ、２ジョブ目はグラフ線Ｂ、３ジョブ目はグラフ線Ｃ、４ジョブ目はグラフ線Ｄ、５ジョブ目はグラフ線Ｅで示している。
【００９５】
上記の（１）式を用いて相関数を算出すると、図１９に示すように、たとえば、設定関係数が１のＡ：［２ in １］印刷や設定関係数が３のＢ：［原稿外消去］印刷などのように、設定関係数の小さいジョブほど経過時間の変化に対するグラフ線の傾きは大きくなり、設定関係数が２１のＥ：［Scan to SMB］同報送信や設定関係数が１１のＤ：［Scan to SMB］送信などのように、設定関係数の大きいジョブほど経過時間の変化に対するグラフ線の傾きは小さくなる。換言すると、（１）式は、設定関係数の小さいジョブは設定関係数の大きいジョブよりも時間経過に伴う相関数の増加幅が大きくなるように設定している。
【００９６】
ジョブの履歴表示では、この相関数の大小関係に基づいて表示順位を決定する。具体的には、マイナス値を含め相関数の小さいジョブから順番に上位から下位へ履歴を表示する。また、相関数の大小関係は経過時間の変化に伴い変化するため、経過時間に応じて履歴表示されるジョブの順位は入れ替えられることになる。詳細には、設定関係数の小さいジョブは設定関係数の大きいジョブよりも時間の進行に伴う相関数の増加幅が大きいため、経過時間が大きくなるのに伴い、設定関係数の小さいジョブは下位に表示されるようになり、設定関係数の大きいジョブは上位に表示されるようになる。
【００９７】
たとえば、図１６の相関数算出表示画面１００が表示される２００７年６月２７日の１３時時点では、図１８における０時間での計算結果が得られるため、５つのジョブの相関数の関係はＡ＜Ｂ＜Ｅ＜Ｄ＜Ｃとなる。また、図１７の相関数算出表示画面１０１が表示される２００７年６月２７日の１９時時点では、図１８における６時間での計算結果が得られるため、５つのジョブの相関数の関係はＥ＜Ｄ＜Ｂ＜Ａ＜Ｃとなる。
【００９８】
図２０は、操作表示部２６に表示されるジョブ履歴表示画面の変化を示しており、図２１は、図２０のジョブ履歴表示画面の変化を５つのジョブの経過時間の関係と対応させた全体像で示している。なお、図２１に示したＹ時間は６時間を意味している（Ｙ＝６）。
【００９９】
ジョブ履歴表示画面には、過去に設定・実行されたジョブの実行順（Ｎｏ）や設定内容が表示される。たとえば、ユーザ認証が行われていない場合には、複合機２０で過去に設定・実行された全ジョブの中から所定数（表示可能数）が選択されて履歴表示される。また、ユーザ認証が行われている場合には、その認証されたユーザが過去に設定・実行したジョブの中から所定数（表示可能数）が選択されて履歴表示され、表題欄にはユーザ名も表示される。
【０１００】
図２０（Ａ）および図２１（Ａ）は、図１６の時点でのジョブ履歴表示画面１１０であり、この時点では相関数の関係（Ａ＜Ｂ＜Ｅ＜Ｄ＜Ｃ）からジョブ１、ジョブ２、ジョブ５、ジョブ４、ジョブ３の順位で履歴が表示される。図２０（Ｂ）および図２１（Ｂ）は、図１７の時点でのジョブ履歴表示画面１１１であり、この時点では相関数の関係（Ｅ＜Ｄ＜Ｂ＜Ａ＜Ｃ）からジョブ５、ジョブ４、ジョブ２、ジョブ１、ジョブ３の順位で履歴が表示される。このように、ジョブの履歴表示順位は時間の経過に伴い入れ替えられ、設定関係数の小さいジョブ１やジョブ２は下位に表示されるようになり、設定関係数の大きいジョブ５やジョブ４は上位に表示されるようになる。
【０１０１】
また複合機２０は、上記のジョブ履歴表示画面に表示されているジョブが押下（タッチ）されて選択された場合は、その選択されたジョブの処理条件の設定を新規ジョブの処理条件の設定に反映する機能を備えている。
【０１０２】
詳細には、ジョブ履歴表示画面にてジョブの番号を選択する場合と、設定内容を選択する場合の２種類の操作で上記の機能が実行されるようになっている。ジョブの番号を選択した場合は、選択されたジョブの最後に設定を行った操作画面（編集画面）に自動的に遷移すると共に、そのジョブの全ての処理条件の設定が新規ジョブの処理条件の設定に反映される。また設定内容を選択した場合は、その選択された設定内容の操作画面（編集画面）に自動的に遷移すると共に、そのジョブの全ての処理条件の設定が新規ジョブの処理条件の設定に反映される。たとえば、新規ジョブのパラメータテーブルに選択ジョブの処理条件のデータがコピーされるなどにより設定の反映が行われる。さらに、この新規ジョブの処理条件の設定はユーザが任意に変更できるようになっている（編集機能）。以下に、上記の２種類の選択操作の具体例を示す。
【０１０３】
図２２は、図２０（Ａ）のジョブ履歴表示画面１１０にてジョブの番号を選択した場合の画面遷移図を示している。ジョブ履歴表示画面１１０で、たとえば、Ｎｏ．４を選択すると、４ジョブ目の［Scan to SMB］送信における最後の設定画面に遷移する。さらに、この４ジョブ目の［Scan to SMB］送信で設定した全ての処理条件が新規ジョブの設定に反映される。また、他のジョブの番号（Ｎｏ．１／Ｎｏ．２／Ｎｏ．３／Ｎｏ．５）を選択した場合も同様に、選択した各ジョブの最後の設定画面に遷移して各ジョブで設定した全ての処理条件が新規ジョブの設定に反映される。
【０１０４】
図２３は、図２０（Ｂ）のジョブ履歴表示画面１１１にて設定内容を選択した場合の画面遷移図を示している。ジョブ履歴表示画面１１１で、たとえばＮｏ．４のジョブの「ホスト名 June」を選択すると、４ジョブ目の［Scan to SMB］送信におけるホスト名の設定画面に遷移する。さらに、この４ジョブ目の［Scan to SMB］送信で設定した全ての処理条件が新規ジョブの設定に反映される。また、Ｎｏ．４のジョブの他の設定内容（グループ名／ユーザ名／パスワード）を選択した場合も同様に、選択した設定内容に対応する設定画面に遷移して４ジョブ目の［Scan to SMB］送信で設定した全ての処理条件が新規ジョブの設定に反映される。さらに、他のジョブの設定内容（Ｎｏ．３やＮｏ．５のジョブの設定内容など）を選択した場合も同様に動作する。
【０１０５】
次に、複合機２０が行うジョブ設定時の操作内容の情報記憶、詳細には、階層数、設定数、画面遷移数のカウントおよび記憶に関する処理内容をフローチャートに基づいて詳細に説明する。
【０１０６】
図２４は、複合機２０が行う操作内容の情報記憶処理を示している。ＣＰＵ２１は、操作表示部２６に操作画面を表示させると図２４に示す処理を開始する。ＣＰＵ２１は、本処理を開始すると（Ｓｔａｒｔ）、設定数を０、画面遷移数を０、階層数を１に初期設定し（ステップＳ２０１）、操作表示部２６に表示させた操作画面に対する操作（ボタン押下）が行われたか否かを監視する（ステップＳ２０２；Ｎｏ〜ステップＳ２０２のループ）。
【０１０７】
操作が行われた場合は（ステップＳ２０２；Ｙｅｓ）、ＣＰＵ２１はその操作が設定完了の操作（スタートキーの押下）であるか否かを判断する（ステップＳ２０３）。設定完了の操作でなければ（ステップＳ２０３；Ｎｏ）、ＣＰＵ２１はその操作がジョブの処理条件に関する項目を設定する操作（図３〜図７における設定箇所）であるか否かを判断する（ステップＳ２０４）。
【０１０８】
項目を設定する操作であれば（ステップＳ２０４；Ｙｅｓ）、ＣＰＵ２１は設定数を１加算し（ステップＳ２０５）、次のステップＳ２０６へ移行する。項目を設定する操作でなければ（ステップＳ２０４；Ｎｏ）、そのままステップＳ２０６へ移行する。
【０１０９】
続いて、ＣＰＵ２１は画面遷移があるか否かを判断する（ステップＳ２０６）。画面遷移があれば（ステップＳ２０６；Ｙｅｓ）、ＣＰＵ２１は画面遷移数を１加算し（ステップＳ２０７）、次のステップＳ２０８へ移行する。画面遷移がなければ（ステップＳ２０６；Ｎｏ）、そのままステップＳ２０８へ移行する。
【０１１０】
続いて、ＣＰＵ２１は操作階層の移動があるか否かを判断する（ステップＳ２０８）。操作階層の移動があれば（ステップＳ２０８；Ｙｅｓ）、ＣＰＵ２１は保持階層数（初期値：１）と移動先の階層数とを比較し、保持階層数よりも移動先の階層数の方が大きいか否かを判断する（ステップＳ２０９）。保持階層数よりも移動先の階層数の方が大きければ（ステップＳ２０９；Ｙｅｓ）、ＣＰＵ２１は移動先の階層数で保持階層数を更新し（ステップＳ２１０）、ステップＳ２０２へ戻る。移動先の階層数が保持階層数以下であれば（ステップＳ２０９；Ｎｏ）、そのままステップＳ２０２へ戻る。
【０１１１】
また、ステップＳ２０２で行われた操作が設定完了の操作（スタートキーの押下）である場合は（ステップＳ２０３；Ｙｅｓ）、ＣＰＵ２１は設定されたジョブに対応付けて設定数、画面遷移数、階層数を不揮発メモリ２５（ジョブ履歴テーブル４０）に記憶し（ステップＳ２１１）、本処理を終了する（Ｅｎｄ）。
【０１１２】
このような流れで１つのジョブの設定が完了し、ＣＰＵ２１はそのジョブを設定された処理条件に従って実行する。そしてジョブの実行開始と並行して、ＣＰＵ２１は操作表示部２６に操作画面を表示させて複合機２０をジョブの設定を受付可能な状態にし、再び上記の処理を開始する。
【０１１３】
次に、複合機２０が行うジョブの履歴表示に関する処理内容をフローチャートに基づいて詳細に説明する。
【０１１４】
図２５は、複合機２０が行うジョブ履歴表示処理を示している。ＣＰＵ２１は、図２５に示す処理を開始すると（Ｓｔａｒｔ）、ユーザ認証が行われたか否かを判断する（ステップＳ２２１）。ユーザ認証が行われた場合は（ステップＳ２２１；Ｙｅｓ）、ＣＰＵ２１は操作表示部２６に個人用の操作画面（個人用操作パネル）を表示し（ステップＳ２２２）、ジョブ履歴表示画面の表示要求があるか否か、すなわち、履歴表示キーが押下操作されたか否かを監視する（ステップＳ２２３；Ｎｏ〜ステップＳ２２３のループ）。
【０１１５】
ジョブ履歴表示画面の表示要求があった場合は（ステップＳ２２３；Ｙｅｓ）、ＣＰＵ２１は履歴表示を行うための個人用のテーブルデータを取得する（ステップＳ２２４）。詳細には、図１５に示すジョブ履歴テーブル４０に登録されているユーザ名データに基づき、認証したユーザの過去に設定・実行したジョブのテーブルデータ（ジョブ実行順データ、実行時刻（日時）データ、設定内容データ）を取得する。
【０１１６】
一方、ユーザ認証が行われない場合は（ステップＳ２２１；Ｎｏ）、ＣＰＵ２１は操作表示部２６に共用の操作画面（共用操作パネル）を表示し（ステップＳ２２５）、ジョブ履歴表示画面の表示要求があるか否か、すなわち、履歴表示キーが押下操作されたか否かを監視する（ステップＳ２２６；Ｎｏ〜ステップＳ２２６のループ）。ジョブ履歴表示画面の表示要求があった場合は（ステップＳ２２６；Ｙｅｓ）、履歴表示を行うための共用のテーブルデータを取得する（ステップＳ２２７）。詳細には、図１５に示すジョブ履歴テーブル４０に登録されている全てのジョブのテーブルデータ（ジョブ実行順データ、実行時刻（日時）データ、設定内容データ）を取得する。
【０１１７】
個人用または共用のテーブルデータを取得した後は、ＣＰＵ２１は時計部３１から現在の時刻情報を取得する（ステップＳ２２８）。続いて、ＣＰＵ２１は取得した各ジョブの経過時間を算出する（ステップＳ２２９）。この経過時間は、現在の時刻からジョブの実行時刻を差し引くことで算出する（経過時間＝現在時刻−実行時刻）。さらにＣＰＵ２１は、各ジョブの相関数（ｚ）を後述するサブルーチンにより算出する（ステップＳ２３０）。
【０１１８】
相関数を算出した後は、ＣＰＵ２１は各ジョブの相関数を比較して（ステップＳ２３１）、各ジョブの表示順（順位）を入れ替え（ステップＳ２３２）、その入れ替え順番で操作表示部２６に各ジョブを履歴表示する（ステップＳ２３３）。詳細には、相関数の小さいジョブから順番に上位から下位へ履歴を表示する。
【０１１９】
ジョブ履歴表示画面の表示後は、ＣＰＵ２１はジョブ履歴表示画面の表示をキャンセルまたは終了する操作（キャンセルキーまたは終了キーの押下）が行われたか否か、および、ジョブ履歴表示画面上でジョブ（番号または設定内容）が選択されたか否かを監視する（ステップＳ２３４；Ｎｏ〜ステップＳ２３５；Ｎｏ〜ステップＳ２３４のループ）。
【０１２０】
ジョブ履歴表示画面の表示をキャンセルまたは終了する操作が行われた場合は（ステップＳ２３４；Ｙｅｓ）、ＣＰＵ２１は本処理を終了する（Ｅｎｄ）。ジョブが選択された場合は（ステップＳ２３５；Ｙｅｓ）、ＣＰＵ２１は選択されたジョブの処理条件の設定を新規ジョブの設定に反映する（ステップＳ２３６）。
【０１２１】
この状態で、スタート（実行）の操作（スタートキー（実行キー）の押下）が行われた場合は（ステップＳ２３７；Ｙｅｓ）、ＣＰＵ２１は新規ジョブの設定を確定し、すなわち、選択されたジョブの処理条件で新規ジョブの設定を確定し、その新規ジョブを生成して（ステップＳ２３７）、本処理を終了する（Ｅｎｄ）。また、ユーザによって新規ジョブの処理条件の設定が変更された場合は、ＣＰＵ２１はその変更された処理条件で設定を確定し新規ジョブを生成する。そしてＣＰＵ２１は、上記処理により生成されたジョブを設定された処理条件に従って実行する。
【０１２２】
また、スタート（実行）の操作が行われずに（ステップＳ２３７；Ｎｏ）、ジョブ履歴表示画面の表示をキャンセルまたは終了する操作が行われた場合は（ステップＳ２３４；Ｙｅｓ）、ＣＰＵ２１は新規ジョブの設定をキャンセルして本処理を終了する（Ｅｎｄ）。スタート（実行）の操作が行われずに（ステップＳ２３７；Ｎｏ）、ジョブ履歴表示画面上でジョブが再度選択された場合は（ステップＳ２３４；Ｎｏ〜ステップＳ２３５；Ｙｅｓ）、ＣＰＵ２１はその選択されたジョブの処理条件の設定を新規ジョブの設定に反映し（ステップＳ２３６）、ステップＳ２３７以降を継続する。
【０１２３】
次に、上記のジョブ履歴表示処理に設けられた相関数を算出するサブルーチンについて説明する。
【０１２４】
図２６は、複合機２０が行う相関数算出処理を示している。ＣＰＵ２１は、図２６に示す処理を開始すると（Ｓｔａｒｔ）、不揮発メモリ２５のジョブ履歴テーブル４０から操作内容データを取得し、前述した（２）式を用いて設定関係数（ｘ）を算出する（ステップＳ２４１）。ここで取得されるのは、階層数、設定数、画面遷移数のうち、相関数を算出する上でユーザが任意に選択した何れか１種類以上のデータとそれに対応する重み付け係数（α、β、γ）である。さらに、不揮発メモリ２５から時間軸に対する重み付け係数（ｙ）を取得する（ステップＳ２４２）。
【０１２５】
そしてＣＰＵ２１は、前述した（１）式に、経過時間、係数（ｙ）、設定関係数（ｘ）を代入して相関数（ｚ）を算出し（ステップＳ２４３）、本処理を終了する（Ｅｎｄ）。
【０１２６】
このように、本実施の形態に係る複合機２０では、過去のジョブの設定を履歴表示する際に、ジョブの処理条件を設定するときの操作の複雑度合いに応じてジョブの重要度を決め、ジョブの生成時点から時間が経過するにつれ、重要度（操作の複雑度合い）の低いジョブは重要度の高いジョブより表示の優先度が大きく低下するようにし、重要度の低いジョブよりも重要度の高いジョブが相対的に上位（優先的）に表示されるようにする。これにより、重要度の高いジョブは時間が経過しても上位に表示されるようになってユーザが容易に見つけ出せるようになる。
【０１２７】
また複合機２０では、履歴表示されたジョブを選択するとその選択されたジョブの処理条件の設定が新規ジョブの処理条件の設定に反映されるため、過去の設定をそのまま流用する、あるいは一部変更して利用するなどにより、過去の設定を利用して新たなジョブを効率よく作成できるようになる。
【０１２８】
また複合機２０はユーザ認証機能を備えており、ユーザ認証が行われた場合は、その認証したユーザが過去に設定・実行したジョブを選び出して履歴表示する。ジョブの処理条件の設定ではユーザ毎に傾向が現れることが多いため、個々のユーザに対応する過去のジョブを選び出して履歴表示することにより、ユーザにとって利用価値の高い過去のジョブの設定を優先的に提供できるようになる。
【０１２９】
さらに複合機２０では、履歴表示する複数のジョブの順位の入れ替えの判断に用いる判断条件、詳細には、相関数（ｚ）や設定関係数（ｘ）の算出に用いる操作階層数、設定数、画面遷移数、時間軸に対する重み付け係数（ｙ）、重み付け係数（α）、（β）、（γ）などの閾値の条件が任意に変更できるため、ユーザ毎の仕様で順位の入れ替え（カスタマイズ）が行えるようになる。
【０１３０】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３１】
たとえば、実施の形態ではジョブ履歴テーブル４０に操作内容の情報を示す、階層数、設定数、画面遷移数の各データを登録するようにしているが、これらのデータを登録せずに、操作内容は設定内容に基づいて判断するようにしてもよい。この場合は、設定箇所および最も深い操作階層が設定内容から把握できるため、設定数および階層数は設定内容に基づいて算出可能である。さらに設定内容を解析すれば、トップ画面から設定箇所の操作画面を経て設定を確定（ジョブ実行）できる操作画面に至るまでの操作の最短ルートが求められるため、画面遷移数も設定内容に基づいて算出可能である。
【０１３２】
また実施の形態では、ジョブ設定時の操作内容とジョブ生成時点からの経過時間とに基づいてジョブ毎に算出した相関数を用いて、履歴表示する複数のジョブの順位を入れ替えるようにしているが、この相関数を求める計算式は実施の形態で説明した（１）式に限らない。重要度の低いジョブの相関数の方が重要度の高いジョブの相関数よりも時間経過に伴う増加幅が大きくなるような計算結果が得られる式であれば、いかなる計算式でも構わない。更に言えば、ジョブ生成時点からの時間経過に伴い重要度の低いジョブの方が重要度の高いジョブよりも表示の優先度が大きく低下する条件を満たす式であれば、いかなる計算式でも構わない。たとえば、表示の優先度は下記の（３）式などを用いて求めるようにしてもよい。
【０１３３】
優先度＝初期値／（１＋経過時間＊（１／ジョブの重要度））・・・（３）
（３）式における「初期値」は全てのジョブで同一であり、「ジョブの重要度」（ジョブ設定時の操作内容）は実施の形態における（１）式の設定関係数（ｘ）に相当する。この場合は、優先度の高いジョブが上位（優先的）に表示されるようになる。
【０１３４】
また、複数のジョブを履歴表示する際の各ジョブの順位の初期優先度は、ジョブの重要度に応じて決めるようにしてもよく、ジョブの重要度に拘わらず同じにするようにしてもよい。たとえば、実施の形態で説明した（１）式を用いる場合は、各ジョブの順位の初期優先度は重要度に応じて決定される。また上記の（３）式を用いる場合は、各ジョブの初期優先度は同じになる。この場合、たとえば最新のジョブの実行直後などには、各ジョブは従来のように時系列で履歴表示され、時間の経過に伴い重要度に応じて順位が入れ替わるようになる。すなわち、ジョブ生成時点からの時間経過に伴い重要度の低いジョブの方が重要度の高いジョブよりも表示の優先度が大きく低下するようになる。また、（１）式を用いる場合でも、たとえば各ジョブの設定関係数（ｘ）を最新のジョブの実行後、Ｎ時間（たとえば３０分〜１時間）固定することで、そのＮ時間は各ジョブが時系列で履歴表示されるようになる。
【０１３５】
また、ジョブの設定・実行時点から相関数算出表示画面やジョブ履歴表示画面の表示時点（現在）までの経過時間は、時計部３１から時刻情報を取得して算出するようにしているが、このような時計部に換えてタイマーなどを使用するようにしてもよい。
【図面の簡単な説明】
【０１３６】
【図１】本発明の実施の形態に係る画像形成システム（情報処理システム）のシステム構成を示す図である。
【図２】本発明の実施の形態に係る画像形成装置（情報処理装置）としての複合機の概略構成を示すブロック図である。
【図３】［２ in １］印刷のジョブを設定する過程で操作表示部に表示される操作画面の遷移を示す説明図である。
【図４】［原稿外消去］印刷のジョブを設定する過程で操作表示部に表示される操作画面の遷移を示す説明図である。
【図５】［２ in １］［文字/写真］［綴じ代］印刷のジョブを設定する過程で操作表示部に表示される操作画面の遷移を示す説明図である。
【図６】［Scan to SMB］送信のジョブを設定する過程で操作表示部に表示される操作画面の遷移を示す説明図である。
【図７】［Scan to SMB］同報送信のジョブを設定する過程で操作表示部に表示される操作画面の遷移を示す説明図である。
【図８】図７の操作画面における（Ａ）スキャントップ画面、（Ｂ）ダイレクト入力画面、（Ｃ）ファイル送信（ＳＭＢ）画面を拡大して示す説明図である。
【図９】図７の操作画面における（Ｄ）ホスト名画面、（Ｅ）ファイル送信（ＳＭＢ）画面、（Ｆ）ファイルパス画面を拡大して示す説明図である。
【図１０】図７の操作画面における（Ｇ）ファイル送信（ＳＭＢ）画面、（Ｈ）ユーザ名画面、（Ｉ）ファイル送信（ＳＭＢ）画面を拡大して示す説明図である。
【図１１】図７の操作画面における（Ｊ）パスワード画面、（Ｋ）ファイル送信（ＳＭＢ）画面、（Ｌ）ダイレクト入力画面を拡大して示す説明図である。
【図１２】図７の操作画面における（Ｍ）ファイル送信（ＳＭＢ）画面、（Ｎ）ホスト名画面、（Ｏ）ファイル送信（ＳＭＢ）画面を拡大して示す説明図である。
【図１３】図７の操作画面における（Ｐ）ファイルパス画面、（Ｑ）ファイル送信（ＳＭＢ）画面、（Ｒ）ユーザ名画面を拡大して示す説明図である。
【図１４】図７の操作画面における（Ｓ）パスワード画面、（Ｔ）ファイル送信（ＳＭＢ）画面、（Ｕ）ダイレクト入力画面を拡大して示す説明図である。
【図１５】ジョブ履歴テーブルの構成例を示す図である。
【図１６】最新ジョブの実行直後に操作表示部に表示される相関数の算出に関する表示画面を示す説明図である。
【図１７】最新ジョブの実行６時間後に操作表示部に表示される相関数の算出に関する表示画面を示す説明図である。
【図１８】相関数を計算した結果の一例を示す図である。
【図１９】図１８の計算結果を用いてジョブの経過時間と相関数（履歴計算値）の関係をグラフ化した図である。
【図２０】操作表示部に表示されるジョブ履歴の表示画面の変化を示す説明図である。
【図２１】図２０のジョブ履歴の表示画面の変化をジョブの経過時間の関係と対応させた全体像を示す説明図である。
【図２２】図２０（Ａ）の履歴表示画面にてジョブの番号を選択した場合の画面の遷移を示す説明図である。
【図２３】図２０（Ｂ）の履歴表示画面にて設定内容を選択した場合の画面の遷移を示す説明図である。
【図２４】本発明の実施の形態に係る複合機が行う操作内容登録処理を示す流れ図である。
【図２５】本発明の実施の形態に係る複合機が行うジョブ履歴表示処理を示す流れ図である。
【図２６】本発明の実施の形態に係る複合機が行う相関数算出処理を示す流れ図である。
【符号の説明】
【０１３７】
２…ネットワーク
５…画像形成システム
１０…端末
２０…複合機（ＭＦＰ）
２１…ＣＰＵ
２２…バス
２３…ＲＯＭ
２４…ＲＡＭ
２５…不揮発メモリ
２６…操作表示部
２７…通信部
２８…画像変換部
２９…読み取り部
３０…プリンタ部
３１…時計部
３２…認証部
４０…ジョブ履歴テーブル
５１…コピートップ画面
５２…集約／原稿画面
５３…応用設定画面
５４…消去画面
５５…原稿画質画面
５６…綴じ代作成画面
６１…集約／原稿ボタン
６２…２ in １ボタン
６３…応用設定ボタン
６４…消去ボタン
６５…原稿外消去ボタン
６６…ＯＫボタン
６７…原稿画質ボタン
６８…文字/写真ボタン
６９…綴じ代ボタン
７１…スキャントップ画面
７２…ダイレクト入力画面
７３…ファイル送信（ＳＭＢ）画面
７４…ホスト名画面
７５…ファイルパス画面
７６…ユーザ名画面
７７…パスワード画面
８１…ダイレクト入力ボタン
８２…ファイル送信（ＳＭＢ）ボタン
８３…ホスト名ボタン
８４…ファイルパスボタン
８５…ユーザ名ボタン
８６…パスワードボタン
８７…ＯＫボタン
８８…ＯＫボタン
１００…相関数算出表示画面
１０１…相関数算出表示画面
１１０…ジョブ履歴表示画面
１１１…ジョブ履歴表示画面
Ｌ１…第１階層
Ｌ２…第２階層
Ｌ３…第３階層
Ｌ４…第４階層
Ｓ１〜Ｓ１０…設定箇所
Ｔ１〜Ｔ２１…画面遷移
【図１】
0004553017.tif 000002
【図２】
0004553017.tif 000003
【図１５】
0004553017.tif 000004
【図１６】
0004553017.tif 000005
【図１７】
0004553017.tif 000006
【図１８】
0004553017.tif 000007
【図１９】
0004553017.tif 000008
【図２０】
0004553017.tif 000009
【図２１】
0004553017.tif 000010
【図２４】
0004553017.tif 000011
【図２５】
0004553017.tif 000012
【図２６】
0004553017.tif 000013
【図３】
0004553017.tif 000014
【図４】
0004553017.tif 000015
【図５】
0004553017.tif 000016
【図６】
0004553017.tif 000017
【図７】
0004553017.tif 000018
【図８】
0004553017.tif 000019
【図９】
0004553017.tif 000020
【図１０】
0004553017.tif 000021
【図１１】
0004553017.tif 000022
【図１２】
0004553017.tif 000023
【図１３】
0004553017.tif 000024
【図１４】
0004553017.tif 000025
【図２２】
0004553017.tif 000026
【図２３】
0004553017.tif 000027